(57)【要約】【課題】構造床上に配置される支柱の床パネル受け台座を互いに選択的に連結して強度の大きな床支持装置を提供する。【解決手段】構造床上に置かれる複数の支柱を備えた床支持装置は、それぞれの支柱にねじ構造により高さ調節可能に設けられ、その上に上床を支持するパネル受け台座を備えている。パネル受け台座の側面周囲には互いに異なる方向に向けられた複数の被連結部が設けられている。これらの被連結部には端部に連結部を有する根太を選択的に連結して、根太によってパネル受け台座間を連結すると共に上床を支持することができ、施工が容易で強度が大きい床支持構造が得られる。【選択図】図２
2006118324.tif 000002
【特許請求の範囲】
【請求項１】
構造床上に置かれる複数の支柱と、
上記支柱のそれぞれに設けられ、その上に上床を支持し、側面周囲に互いに異なる方向に向けられた複数の被連結部を有するパネル受け台座と、
上記パネル受け台座の複数の上記被連結部に選択的に連結され得る連結部を有し、上記パネル受け台座間を連結すると共に上記上床を支持する根太とを備えていることを特徴とする床支持装置。
【請求項２】
上記パネル受け台座は上記支柱の上端部にねじ係合して高さ調節可能に設けられていることを特徴とする請求項１記載の床支持装置。
【請求項３】
上記支柱は、コンクリート床上に置かれるゴムの台座と、上記台座に支持されて上端部にねじ部を有するボルトとを備えていることを特徴とする請求項１記載の床支持装置。
【請求項４】
上記連結部および上記被連結部は突起と凹部との組合せを有する構造であることを特徴とする請求項１記載の床支持装置。
【請求項５】
上記連結部および上記被連結部はピンとピン穴との組合せを有する構造であることを特徴とする請求項１記載の床支持装置。
【請求項６】
上記連結部および上記被連結部はほぞとほぞ穴との組合せを有する構造であることを特徴とする請求項１記載の床支持装置。
【請求項７】
上記連結部および上記被連結部は段部と庇部との組合せを有する構造であることを特徴とする請求項１記載の床支持装置。
【発明の詳細な説明】
【技術分野】
【０００１】
本発明は床支持装置に関し、特に構造床上に配置した複数の支柱によって上床を支持するための床支持装置に関するものである。
【背景技術】
【０００２】
本発明の関する床支持装置として従来知られているものは、下部床（スラブ）上に配置した円錐台に螺合して直立した支持ボルトと、この支持ボルトに螺合して高さ調節可能に支持された床パネル受けとを備えた床支持装置であって、床パネル受け上に床パネルを乗せて構造床から所定の距離だけ離して支持し、このように支持された床パネル上に床材を敷き詰めるものである（例えば特許文献１参照）。
【０００３】
【特許文献１】実用新案登録第２５６３１６１号（図１）
【発明の開示】
【発明が解決しようとする課題】
【０００４】
特許文献１記載のような従来の床支持装置に於いては、床パネルを支持する床支持装置が、それぞれ下端部に円錐台を持ち、上端部に床パネル受けを持った互いに独立した支持ボルトであった。このため床支持装置を下部床上に配置する際には、相互間の距離を確認しながら配置作業をする必要があり、また床パネルをその上に乗せた後では、床支持装置間が支持されていないため床の強度が必ずしも充分で無い場合があった。
【０００５】
従ってこの発明の目的は、構造床上に配置される複数の支柱の頂部に床パネル受け台座を備え、これら床パネル受け台座を互いに選択的に連結すると共に床パネル受け台座間でも床パネルを支持することができる床支持装置を提供することである。
【課題を解決するための手段】
【０００６】
この発明の床支持装置は、構造床上に置かれる複数の支柱と、上記支柱のそれぞれに設けられ、その上に上床を支持し、側面周囲に互いに異なる方向に向けられた複数の連結部を有するパネル受け台座と、上記パネル受け台座の上記被連結部に選択的に連結され得る被連結部を有し、上記パネル受け台座間を連結すると共に上記上床を支持する根太とを備えている。
【発明を実施するための最良の形態】
【０００７】
実施の形態１．
本発明の床支持装置は、図１乃至図３に示すように、コンクリート下床等の構造床１上に配置した複数の支柱２によって上床３を支持するための床支持装置であって、構造床１上に置かれる台座４を備えている。台座４は、図示の例では防振作用を持つゴム製の部材であって、ほぼ円錐台形あるいは釣り鐘型である。台座４の中央には金属製のボルト５の下端部がスリーブ６を介して埋め込まれている。台座４に埋め込まれたスリーブ６とボルト５との間は、例えばねじ部のねじ係合によって高さ調節可能にすることもできる。そのような場合、台座４に埋め込んだスリーブ６の内側にねじを切って置き、これにボルト５の下端部に設けたねじ部をねじ係合させることができる。
【０００８】
支柱２のボルト５の上端部のねじ部にはほぼ正方形の板部材であるパネル受け台座７の中心部に埋設したねじスリーブ８がねじ係合している。パネル受け台座７は、その上にベースプレート９を介して上床３を支持するためのものであり、中央にのねじスリーブ８と支柱２のボルト５のねじ部との間のねじ係合により、支柱２に対して高さ調節可能に設けられている。
【０００９】
この発明によれば、パネル受け台座７の側面周囲には、互いに異なる方向に向けられた複数の被連結部１０が設けられている。図示の例では、パネル受け台座７はほぼ正方形の板部材であり、４つの側面のそれぞれに設けられた被連結部１０は２つのピン穴１１であって互いに９０°異なった方向に向けられている。床支持装置はまた、パネル受け台座７間を連結する根太１２を備えている。根太１２は図示の例では比較的長い板状部材であって、その両端部にパネル受け台座７の被連結部１０に連結され得る連結部１３を有している。連結部１３は、被連結部１０と同様の対応する２つのピン穴１４と、一端がこのピン穴１４に圧入され、他端がパネル受け台座７の被連結部１０のピン穴１１に圧入されて、パネル受け台座７と根太１２とを連結するピン１５とを備えている。このように、パネル受け台座７と根太１２とは互いに結合して連結する連結構造によって選択的に連結できるようにされている。図示の例では、連結構造を構成する連結部１３および被連結部１０は、互いに嵌合する突起（ピン穴１４に挿入されたピン１５）と凹部（ピン穴１１）との組合せを有する嵌合連結構造である。
【００１０】
連結構造は、上述のピン１５とピン穴１１および１４との組合せを有する構造の他に様々な変形が可能であり、ほぞとほぞ穴、あり継、ボルト、目釘等の連結構造を採用することができる。また、図３に示すように根太１２をパネル受け台座７の４つの側面の全てに連結することも必ずしも必要ではなく、必要に応じて様々な組合せが可能である。図４以下の図にはこれらの連結構造および連結の仕方の例を示す。これらの様々な変形例は必要に応じてそれぞれ単独であるいは適宜組合せて使用することができる。また、パネル受け台座７自体の形状も様々に変形させることができる。パネル受け台座７は、図示の例では平方形の板状の部材であるが、三角形、五角形、六角形の板状部材として各辺に被連結部を設け、パネル受け台座の被連結部に連結された根太の互いの角度がそれぞれの形に応じた角度となるようにすることもできる。
【００１１】
このような本発明の床支持装置に於いては、パネル受け台座７間を根太によって選択的に連結することができるため、支柱の間の空間部に於いても床パネルを支持することができ、また床支持装置自体の強度を高めることもできる。また支柱間の距離が根太によって定められるため、支柱の下部床上への配置作業時に支柱間の距離の確認が不要となり、施工が容易である。また根太を選択的に用いることができるので、施工の自由度が大きい。
【００１２】
実施の形態２．
図４に示す床支持装置の連結構造は、パネル受け台座７の４つの側面にほぞ穴１５によって構成した被連結部１０を持ち、根太１２の連結部１３はほぞ穴１５に嵌合するほぞ１６を備えている。図示の例では４本の根太１２の幅が同じであって、ほぞ１６の幅はパネル受け台座７との連結部で互いに干渉しないように根太１２の幅よりも小さくしてあるが、対向する一対の根太１２のほぞ１６の幅を根太１２の幅と同じにし、直交する根太１２の幅を干渉が起こらないように小さくすることもできる。
【００１３】
実施の形態３．
図５に示す床支持装置の連結構造は、パネル受け台座７の４つの側面に上半分が削り取られた段部１７によって構成した被連結部１０を備えている。根太１２の連結部１３は段部１７に重なり合って嵌合するように下半分が削り取られた相補形状の庇部１８を備えている。図示の例では、対向する一対の根太１２の幅をパネル受け台座７の幅と同じにし、直交する根太１２の幅を干渉が起こらないように小さくしてあるが、４本の根太１２の幅を同じにして、庇部１８の幅をパネル受け台座７の段部１７の上で互いに干渉しないように根太１２の幅よりも小さくすることもできる。段部１７上に乗せて連結させた庇部１８は、釘等の適当な止め金具１９で固定することが望ましい。
【００１４】
実施の形態４．
図６に示す床支持装置の連結構造に於いては、図２に示すものと同様にパネル受け台座７はほぼ正方形の板部材であるが、４つの側面のそれぞれに設けられた被連結部１０は菱形配置された４つのピン穴２１である。また、パネル受け台座７間を連結する根太２２は、断面形が円形であって、その両端部にパネル受け台座７の被連結部１０に連結され得る連結部１３を有している。連結部１３は、被連結部１０と同様の対応する４つのピン穴２３と、一端がこのピン穴２３に圧入され、他端がパネル受け台座７の被連結部１０のピン穴２１に圧入されて、パネル受け台座７と根太２２とを連結するピン２４とを備えている。図示の例では、根太２２は一方向にだけ連結されているが、先に説明した実施の形態の場合と同様に直交するように根太２２を配置することもできる。
【００１５】
実施の形態５．
図７に示す床支持装置は、根太１２を格子状でなく、互い違いに積み重ねられた煉瓦模様をなすように組み合わされている。
【００１６】
実施の形態６．
図８に示す床支持装置は、根太１２が直列に連結されていて、横方向には連結されていない。
【００１７】
実施の形態７．
図９に示す床支持装置に於いては、根太２５の一端が一体に連続した一部品として形成されたパネル受け台座２６を備えており、他端はパネル受け台座２６に先に説明した実施の形態と同様に連結構造により連結されている。この構造にも直交方向の根太を選択的に組み合わせることができる。
【００１８】
実施の形態８．
図１０に示す床支持装置に於いては、図９の床支持装置と同様に構成されているが、根太２７の中間部に、一体に連続した一部品として形成されたパネル受け台座２６が設けられており、他端は独立したパネル受け台座７に連結構造により連結されている。この構造にも直交方向の根太を組み合わせることができる。
【００１９】
実施の形態９．
図１１に示す床支持装置に於いては、図９に示すものと同様の床支持装置のそれぞれの連結部に、補強部材２８が設けられている。図示の例では、補強部材２８は接着剤あるいは適当な金具等（図示してない）でパネル受け台座７と根太１２とに跨って継ぎ目を補強するように固着されている。
【図面の簡単な説明】
【００２０】
【図１】本発明の第１実施形態の床支持装置を使用状況を示す概略斜視図である。
【図２】図１の床支持装置の分解斜視図である。
【図３】図１の床支持装置の配置例を示す斜視図である。
【図４】本発明の第２実施形態の床支持装置を示す分解斜視図である。
【図５】本発明の第３実施形態の床支持装置を示す分解斜視図である。
【図６】本発明の第４実施形態の床支持装置を示す分解斜視図である。
【図７】本発明の第５実施形態の床支持装置を示す斜視図である。
【図８】本発明の第６実施形態の床支持装置を示す斜視図である。
【図９】本発明の第７実施形態の床支持装置を示す斜視図である。
【図１０】本発明の第８実施形態の床支持装置を示す斜視図である。
【図１１】本発明の第９実施形態の床支持装置を示す斜視図である。
【符号の説明】
【００２１】
１  構造床、  ２  支柱、  ３  上床、  １０  被連結部、  ７  パネル受け台座、  １３  連結部、  １２  根太、  ４  台座、  ５  ボルト、  １５  ピン、  １１  ピン穴、  １６  ほぞ、  １５  ほぞ穴、  １７  段部、  １８  庇部。
【図１】
2006118324.tif 000003
【図２】
2006118324.tif 000004
【図３】
2006118324.tif 000005
【図４】
2006118324.tif 000006
【図５】
2006118324.tif 000007
【図６】
2006118324.tif 000008
【図７】
2006118324.tif 000009
【図８】
2006118324.tif 000010
【図９】
2006118324.tif 000011
【図１０】
2006118324.tif 000012
【図１１】
2006118324.tif 000013
【手続補正書】
【提出日】平成17年12月5日(2005.12.5)
【手続補正１】
【補正対象書類名】特許請求の範囲
【補正対象項目名】全文
【補正方法】変更
【補正の内容】
【特許請求の範囲】
【請求項１】
構造床上に置かれる複数の支柱と、
上記支柱のそれぞれに設けられてその上に上床を支持する正方形の板部材であって、４つの側面にそれぞれ被連結部を有するパネル受け台座と、
上記パネル受け台座の上記被連結部に選択的に連結され得る嵌合連結部を有し、上記パネル受け台座間を連結して水平方向に支持する根太と
を備えていることを特徴とする床支持装置。
【請求項２】
上記パネル受け台座は上記支柱の上端部にねじ係合して高さ調節可能に設けられていることを特徴とする請求項１記載の床支持装置。
【請求項３】
上記支柱は、コンクリート床上に置かれるゴムの台座と、上記台座に支持されて上端部にねじ部を有するボルトとを備えていることを特徴とする請求項１記載の床支持装置。
【請求項４】
上記連結部および上記被連結部は突起と凹部との組合せを有する構造であることを特徴とする請求項１記載の床支持装置。
【請求項５】
上記連結部および上記被連結部はピンとピン穴との組合せを有する構造であることを特徴とする請求項１記載の床支持装置。
【請求項６】
上記連結部および上記被連結部はほぞとほぞ穴との組合せを有する構造であることを特徴とする請求項１記載の床支持装置。
【請求項７】
上記連結部および上記被連結部は段部と庇部との組合せを有する構造であることを特徴とする請求項１記載の床支持装置。